(57)【特許請求の範囲】
【請求項１】
下面にキャスターを有する座部本体と、座部本体に一端が回動自在に連結された前背凭れ部と、前背凭れ部の他端と連結部材を介して互いに一端が回動自在に連結された後背凭れ部と、後背凭れ部の他端に回動自在に連結され、下面にキャスターを有する脚部と、上記連結部材に設けられた中間支持脚と、ベッドとしての使用状態と椅子としての使用状態を維持するロック部材より構成され、前記ロック部材は、前背凭れ部の座部本体側端部に設けられて、座部本体および後背凭れ部の脚部側と係脱自在で、座部本体の係止孔に係合してベッドとしての使用状態を維持する一方、後背凭れ部の後係止孔に係合して椅子としての使用状態を維持するよう構成されている事を特徴とする椅子兼用ベッド装置。
【発明の詳細な説明】
【０００１】
【発明の属する技術分野】
本発明は特に病室内で使用される付き添い用のベッドに関するものである。
【０００２】
【従来の技術】
従来、病室内で使用される付き添い用ベッドは、ベッドに組み込まれ、使用時にベッド下方より引き出して使用されるものと、折り畳み自在で、不使用時には折り畳んでベッド下方に収納されるものがあった。
そして、これらはいずれも、ベッドとしての機能しかなく、付き添いの人が使用する椅子は別に用意されていた。
【０００３】
【発明が解決しようとする課題】
本発明は、簡単に折り畳む事ができ、折り畳んだ状態で、椅子として使用する事ができる病室用の椅子兼用ベッド装置を提供する事を課題とする。
【０００４】
【課題を解決する為の手段】
そこで、本発明が前記課題を解決するための手段として構成したところは、下面にキャスターを有する座部本体と、座部本体に一端が回動自在に連結された前背凭れ部と、前背凭れ部の他端と連結部材を介して互いに一端が回動自在に連結された後背凭れ部と、後背凭れ部の他端に回動自在に連結され、下面にキャスターを有する脚部と、上記連結部材に設けられた中間支持脚と、ベッドとしての使用状態と椅子としての使用状態を維持するロック部材より構成され、前記ロック部材は、前背凭れ部の座部本体側端部に設けられて、座部本体および後背凭れ部の脚部側と係脱自在で、座部本体の係止孔に係合してベッドとしての使用状態を維持する一方、後背凭れ部の後係止孔に係合して椅子としての使用状態を維持するよう構成されている点にある。
【０００７】
【発明の実施の形態】
本発明は、下面にキャスターを有する座部本体と、座部本体に一端が回動自在に連結された前背凭れ部と、前背凭れ部の他端と連結部材を介して互いに一端が回動自在に連結された後背凭れ部と、後背凭れ部の他端に回動自在に連結され、下面にキャスターを有する脚部と、上記連結部材に設けられた中間支持脚と、ベッドとしての使用状態と椅子としての使用状態を維持するロック部材より構成され、前記ロック部材は、前背凭れ部の座部本体側端部に設けられ、座部本体および後背凭れ部の脚部側と係脱自在で、座部本体の係止孔に係合してベッドとしての使用状態を維持する一方、後背凭れ部の後係止孔に係合して椅子としての使用状態を維持するよう構成されているものである。
【０００８】
【実施例】
以下、添付図面に基づいて実施例を詳述する。尚、図１で左側を前、右側を後として説明する。図１はベッドとして使用する状態を示し、 符号１は座部本体を示し、符号２は座部本体１の後端部に回動自在に連結された前背凭れ部を示し、符号３は連結部材４を介して、前背凭れ部２の後端部と互いに回動自在に連結された後背凭れ部を示し、符号５は後背凭れ部３の後端部下方に回動自在に連結された脚部を示している。
【０００９】
図２は椅子として使用される状態を示し、折り畳まれた状態で前背凭れ部２の座部本体１側に設けられたロック部材６が後背凭れ部３の脚部５側に係止し、椅子としての使用状態が維持される。
符号７は連結部材４の内面に固着された中間支持脚を示し、符号８は座部本体１、前背凭れ部２、後背凭れ部３上にバンド８０・・・を介して取付られたマットレスを示し、符号９は連結部材４に設けられた操作部を示している。
【００１０】
座部本体１は前背凭れ部２側が開いた丸パイプより平面視Ｕ字形に形成された上枠体１０と、上枠体１０の四隅下面に上端部が固着され、下面にキャスター１１１・・・を有する左右前後脚体１１、１１、１２、１２等より構成され、左右後脚体１２、１２の内面上部にロック部材６の係止孔１３、１３が形成されている。符号１４・・・は前後脚体１１、１２間、左右後脚体１２、１２間に設けられた脚体補強杆を示している。
【００１１】
前背凭れ部２は、座部本体１側の端部に断面下向きＵ字形で上枠体１０の左右端部に上方から外嵌する回動連結部２１、２１が固着された丸パイプよりなる左右前背凭れ枠体２２、２２より構成され、回動連結部２１、２１が上枠体１０の左右端部に上方から外嵌した状態で上枠体１０の端部前側に枢止連結される事により、前背凭れ部２は座部本体１に対し上方にのみ回動可能となるよう連結されている。
【００１２】
連結部材４、４は、逆三角形で底辺側の内面前後端部に前背凭れ部２の後側の左右端部と、後背凭れ部３の前側の左右端部が枢止連結され、頂部側内面に下方に突出して中間支持脚７が固着され、中間支持脚７の上方で内方に突出する逆Ｌ字形のストッパ突片４１、４１が固着され、前背凭れ部２と後背凭れ部３の左右端部側が上面に当接して、前背凭れ部２と後背凭れ部３が連結部材４、４に対し上方に回動するのを阻止している。
そして、連結部材４、４の一方（ロック部材６の操作レバー６０が位置する側）に布製のベルトにて形成された、ベッドから椅子への折り畳み操作を補助する操作部９が設けられている。
【００１３】
後背凭れ部３は、丸パイプよりなる前背凭れ部２側が開いた平面視Ｕ字形に形成され、後端側の内面にロック部材６に対応して係止孔１３、１３と同様の後係止孔３１、３１が形成され、後係止孔３１、３１のやや後方に支持脚７を回動自在に連結する為の下向きＬ字形の脚取付座５０、５０が固着されている。
【００１４】
脚部５は、逆Ｔ字形で脚取付座５０、５０の外面に座部本体１、中間支持脚７、７の左右側の外側に突出して枢止連結され、下面にキャスター５１・・・が取りつけられ、折り畳まれて椅子として使用される状態で、座部本体１のキャスター１１１・・・、脚部５、５のキャスター５１・・・によって、全体を簡単に移動自在としている。
【００１５】
ロック部材６は、回動連結部２１、２１の内面に取付られた支持基板６１、６１と、操作部９が設けられた側の支持基板６１の長孔６１１を貫挿する操作扞６２と、操作扞６２の動きをもう一方の支持基板６１に伝達する連動杆６６と、操作扞６２の操作で上記係止孔１３、１３、後係止孔３１、３１に係脱するロック杆６５より構成されている。
【００１６】
操作扞６２は、横向きＬ字形をなし、支持基板６１の内面に形成された支持突起６３に連結座を介して回動自在に連結され、常に支持基板６１の内面と操作扞６２間に張設されたバネ６０によって上方に回動するよう付勢されている。操作扞６２側のロック扞は、支持突起６３の下方で支持基板６１の内面に設けられた、案内筒６４の中心部の案内孔６４０内を左右方向に移動可能に操作扞６２の下端部に連結座を介して連結されている。
【００１７】
連動杆６６は、一端が操作扞６２の下端部でロック杆６５側の反対側に連結座を介して回動自在に連結され、他端側が他方の支持基板６１の内面に形成された支持突起６３１に、連結座を介して上下方向の中央部が回動自在に連結された中間部材６７の上端に、連結座を介して回動自在に連結されている。
【００１８】
操作扞６２と反対側のロック杆６５は、支持突起６３１の下方で支持基板６１の内面に形成された、案内筒６４１の中心部の案内孔６４２内を左右方向に移動可能に中間部材６７の下端部に連結座を介して連結されている。
【００１９】
本発明は上記の如く構成されており、図１に示すベッドとしての使用状態（図３、図４）でロック杆６５、６５は座部本体１の左右後脚体１２、１２の内面に形成された係止孔１３、１３に係合し、ロック杆６５、６５は案内筒６４、６４１に保持され、案内筒６４、６４１は支持基板６１、６１に固定的に取付られ、支持基板６１、６１は左右前背凭れ枠体２２、２２に固着された回動連結部２１、２１に連結されているので、座部本体１と前背凭れ部２の折り畳みは防止されると同時に、中間支持脚７の下端面は接床し、ストッパ突片４１、４１に前背凭れ部２と後背凭れ部３の左右端部側が上面に当接して中央部分の強度を確保している。
【００２０】
この状態で、座部本体１、あるいは脚部５を持ち上げて、中央支持脚７を床面から浮かせれば、座部本体１、脚部５の下面にキャスター１１１・・・、５１・・・が設けられているので容易に移動させる事ができる。
又、座部本体１と脚部５を同時に持ち上げても、ストッパ突片４１、４１に前背凭れ部２と後背凭れ部３の左右端部側が上面に当接しているので、連結部材４、４の箇所で折れ曲がることはなく安全である。
【００２１】
一方、ベッドとして使用されている状態から、椅子として使用される場合は、ロック部材６の操作扞６２を下方に移動させ、ロック杆６５、６５を左右後脚体１２、１２の係止孔１３、１３より逸脱させた状態（図５、図６に示す状態）で操作部９を持ち上げると、連結部材４、４、中間支持脚７は上方に持ち上げられると同時に、前背凭れ部２と、後背凭れ部３は連結部材４、４を基点として下方に回動し、さらに、手をそえて後背凭れ部３の後端部の前方移動とともに脚部５を前方に移動させ、前背凭れ部２と後背凭れ部３を、図２に示すように平行状態とする。
【００２２】
この時、ロック杆６５、６５はバネ６０にて連結部材４４の外方に突出した状態となっているが、その先端が半球状に形成され、後背凭れ部３も丸パイプで形成されているので、折り畳み動作によって、ロック杆６５、６５は自動的に後係止孔３１、３１に係合し、折り畳み状態（椅子としての使用状態、図２に示す。）を維持する。
【００２３】
尚、ロック杆６５、６５の係合動作をより容易に行う為にロック杆６５、６５側にむけて次第に低くなるテーパー状の案内部材（図示せず。）を後背凭れ部３の後係止孔３１、３１および前背凭れ部２の左右後脚体１２、１の係止孔１３、１２の近傍に形成してもよい。
【００２４】
【発明の効果】
請求項１に記載の発明によれば、座部本体と脚部の下面にキャスターを設けているので椅子としての使用時、簡単に移動自在で、脚部が後背凭れ部と回動自在に取付られているので折り畳み時に脚部は床面をスムーズに移動し、折り畳み動作が容易であり、しかも、前凭れ部と後背凭れ部間に連結部材を介して中間支持脚を形成しているので、ベッドとしての使用状態が安定し、ロック部材を構成する事により、ベッド及び椅子としての使用時の安全性を向上できると共に、ベッドから椅子への折り畳み作業が容易である。
又、ロック部材は、前背凭れ部の座部本体側端部に設けられ、座部本体および後背凭れ部の脚部側と係脱自在に構成されているので、前背凭れ部の水平姿勢（ベッドとして使用されている状態）、傾斜姿勢（椅子として使用されている状態）のいずれの姿勢においても効果的に機能が発揮できるので安価に製作できる。
【００２５】
【図面の簡単な説明】
【図１】本発明のベッドとして使用された状態の側面図
【図２】本発明の椅子として使用された状態の拡大側面図
【図３】ロック杆が座部本体に係止した状態の右側部分の拡大断面図
【図４】ロック杆が座部本体に係止した状態の左側部分の拡大断面図
【図５】ロック杆が座部本体から逸脱した状態の右側部分の拡大断面図
【図６】ロック杆が座部本体から逸脱した状態の左側部分の拡大断面図
【符号の説明】
１    座部本体
２    前背凭れ部
３    後背凭れ部
４    連結部材
５    脚部
６    ロック部材
７    中間支持脚
９    操作部
【図１】
0003583252.tif 000002
【図２】
0003583252.tif 000003
【図３】
0003583252.tif 000004
【図４】
0003583252.tif 000005
【図５】
0003583252.tif 000006
【図６】
0003583252.tif 000007